(57)【要約】      （修正有）【課題】画面に表示される画像を複数枚に渡って読み取らせる処理を手軽に行える画像形成装置を提供する。【解決手段】スキャナー部１０１により、原稿読取部１０１Ｃにセットされたタブレット型端末３００の画面の画像を読み取り、光検出センサー１０５により、タブレット型端末３００から光が放出されているどうかを検出し、システム制御部により、光検出センサー１０５の検出結果に基づき、スキャナー部１０１に対し、光源をＯＦＦにしてのタブレット型端末３００の画面の画像の読み取り、又は光源をＯＮにしてのタブレット型端末３００の画面の画像の読み取りを指示する。また、システム制御部は、スキャナー部１０１がタブレット型端末３００の画面の画像を読み取った後、光源の点滅動作又は点灯動作を実行し、光源の点滅動作、又は点灯動作に応じてタブレット型端末３００が切り替えた画面の画像をスキャナー部１０１に読み取らせる。【選択図】図２
2019154022.tif 000002
【特許請求の範囲】
【請求項１】
画像を表示する画面と、
光検出部と
を備える読取対象、及び
前記読取対象をセットする原稿読取部と、
光源を有し、前記読取対象の画面の画像を読み取るスキャナー部と、
前記読取対象側から光が放出されているどうかを検出する光検出センサーと、
前記光検出センサーの検出結果に基づき、前記スキャナー部に対し、前記光源をＯＦＦにしての前記読取対象の画面の画像の読み取り、又は前記光源をＯＮにしての前記読取対象の画面の画像の読み取りを指示するシステム制御部と
を備える画像形成装置を含み、
前記システム制御部は、前記スキャナー部が前記読取対象の画面の画像を読み取った後、前記光源の点滅動作又は点灯動作を実行し、前記画面の画像を前記スキャナー部に読み取らせ、
前記読取対象は、前記光検出部が前記光源の前記点滅動作又は点灯動作による光を検出すると、前記画面に表示する画像を切り替える
ことを特徴とする画像形成システム。
【請求項２】
前記システム制御部は、
前記光検出センサーが前記読取対象側から光が放出されていることを検出すると、前記スキャナー部に対し、前記光源をＯＦＦにしての前記読取対象の画像の読み取りを指示し、
前記光検出センサーが前記読取対象側から光が放出されていないことを検出すると、前記スキャナー部に対し、前記光源をＯＮにしての前記読取対象の画像の読み取りを指示する
ことを特徴とする請求項１に記載の画像形成システム。
【請求項３】
前記システム制御部は、
前記スキャナー部が前記画面の最終ページの画像を読み取った後、前記光源の前記点滅動作又は点灯動作を実行しない
ことを特徴とする請求項１又は２に記載の画像形成システム。
【請求項４】
画像を表示する画面と、
光検出部と
を備える読取対象、及び
前記読取対象をセットする原稿読取部と、
光源を有し、前記読取対象の画面の画像を読み取るスキャナー部と、
前記読取対象側から光が放出されているどうかを検出する光検出センサーと、
前記光検出センサーの検出結果に基づき、前記スキャナー部に対し、前記光源をＯＦＦにしての前記読取対象の画面の画像の読み取り、又は前記光源をＯＮにしての前記読取対象の画面の画像の読み取りを指示するシステム制御部と
を備える画像形成装置を含み、
前記読取対象は、前記画面にユーザー情報と決済関連情報とを含むデポジット情報を示すデポジット関連画像を表示し、
前記システム制御部は、前記スキャナー部が読み取った前記デポジット関連画像の画像データをデポジット管理サーバーに送信し、前記デポジット管理サーバーからのユーザー認証と決済関連情報との確認結果に問題が無ければ、前記光源の点滅動作又は点灯動作を実行し、前記画面の画像を前記スキャナー部に読み取らせ、
前記読取対象は、前記光検出部が前記光源の前記点滅動作又は点灯動作による光を検出すると、前記画面に表示する画像を切り替える
ことを特徴とする画像形成システム。
【請求項５】
読取対象をセットする原稿読取部と、
光源を有し、前記読取対象の画面の画像を読み取るスキャナー部と、
前記読取対象側から光が放出されているどうかを検出する光検出センサーと、
前記光検出センサーの検出結果に基づき、前記スキャナー部に対し、前記光源をＯＦＦにしての前記読取対象の画面の画像の読み取り、又は前記光源をＯＮにしての前記読取対象の画面の画像の読み取りを指示するシステム制御部とを備え、
前記システム制御部は、前記スキャナー部が前記読取対象の画面の画像を読み取った後、前記光源の点滅動作又は点灯動作を実行し、前記点滅動作又は点灯動作に応じて前記読取対象が切り替えた前記画面の画像を前記スキャナー部に読み取らせる
ことを特徴とする画像形成装置。
【請求項６】
読取対象をセットする原稿読取部と、
光源を有し、前記読取対象の画面の画像を読み取るスキャナー部と、
前記読取対象側から光が放出されているどうかを検出する光検出センサーと、
前記光検出センサーの検出結果に基づき、前記スキャナー部に対し、前記光源をＯＦＦにしての前記読取対象の画面の画像の読み取り、又は前記光源をＯＮにしての前記読取対象の画面の画像の読み取りを指示するシステム制御部とを備え、
前記システム制御部は、前記スキャナー部が読み取った前記読取対象の画面のユーザー情報と決済関連情報とを含むデポジット情報を示すデポジット関連画像の画像データをデポジット管理サーバーに送信し、前記デポジット管理サーバーからのユーザー認証と決済関連情報との確認結果に問題が無ければ、前記光源の点滅動作又は点灯動作を実行し、前記画面の画像を前記スキャナー部に読み取らせる
ことを特徴とする画像形成装置。
【請求項７】
画像形成装置を制御するコンピューターに実行させる画像読取プログラムであって、
光源を有するスキャナー部により、原稿読取部にセットされた読取対象の画面の画像を読み取る工程と、
光検出センサーにより、前記読取対象側から光が放出されているどうかを検出する工程と、
システム制御部により、前記光検出センサーの検出結果に基づき、前記スキャナー部に対し、前記光源をＯＦＦにしての前記読取対象の画面の画像の読み取り、又は前記光源をＯＮにしての前記読取対象の画面の画像の読み取りを指示する工程とを具備し、
さらに、前記システム制御部は、前記スキャナー部が前記読取対象の画面の画像を読み取った後、前記光源の点滅動作又は点灯動作を実行し、前記点滅動作又は点灯動作に応じて前記読取対象が切り替えた前記画面の画像を前記スキャナー部に読み取らせる工程を有する
ことを特徴とする画像読取プログラム。
【請求項８】
画像形成装置を制御するコンピューターに実行させる画像読取プログラムであって、
光源を有するスキャナー部により、原稿読取部にセットされた読取対象の画面の画像を読み取る工程と、
光検出センサーにより、前記読取対象側から光が放出されているどうかを検出する工程と、
システム制御部により、前記スキャナー部が読み取った前記読取対象の画面のユーザー情報と決済関連情報とを含むデポジット情報を示すデポジット関連画像の画像データをデポジット管理サーバーに送信する工程とを具備し、
さらに、前記システム制御部は、前記デポジット管理サーバーからのユーザー認証と決済関連情報との確認結果に問題が無ければ、前記光源の点滅動作又は点灯動作を実行し、前記画面の画像を前記スキャナー部に読み取らせる工程を有する
ことを特徴とする画像読取プログラム。
【発明の詳細な説明】
【技術分野】
【０００１】
本発明は、画像の読み取りに適した画像形成装置及び画像読取プログラムに関する。
【背景技術】
【０００２】
たとえば、スマートフォンやタブレット型端末等のモバイル端末の画面に表示されている画像は、ＭＦＰ(Multifunction Peripheral)等の画像形成装置に対し、無線通信等によって送信することで印刷できる。
【０００３】
このようなモバイル端末の画面に表示されている画像の印刷に関するものとして、特許文献１では、次のような構成の携帯電話のデータ印刷システムを提案している。この携帯電話のデータ印刷システムは、携帯電話の送信手段により、印刷手段へデータ送信を行うと、印刷手段の受信手段がデータを受信し、印刷を実行する。
【先行技術文献】
【特許文献】
【０００４】
【特許文献１】特開２００３−２４１９１１号公報
【発明の概要】
【発明が解決しようとする課題】
【０００５】
上述した特許文献１の携帯電話のデータ印刷システムでは、印刷手段が携帯電話から受信したデータを印刷するので、たとえば印刷機能を持たない携帯電話であっても、受信した電子メールや画像等のデータを印刷できる。
【０００６】
ところで、携帯電話等のモバイル端末から画像形成装置に対し、電子メールや画像等のデータを送信するまでに様々な操作が必要となる。すなわち、モバイル端末側で、データ変換アプリケーション等を起動させ、電子メールや画像等のデータをJPEG等の汎用ファイルに変換する必要がある。また、モバイル端末側で、変換したファイルを無線通信やＬＡＮ(Local Area Network)等のネットワークで画像形成装置に送信するという操作が必要となる。この場合、モバイル端末側においては、画像形成装置と通信するためのネットワーク設定や、モバイル端末と画像形成装置とを連携させるためのネットワーク設定等も必要となる。さらには、画像形成装置に送信した汎用ファイルのジョブの設定をモバイル端末側、又は画像形成装置側で行う必要がある。
【０００７】
このような、電子メールや画像等のデータをJPEG等の汎用ファイルに変換する操作、ネットワーク設定の操作、ジョブの設定の操作においては、モバイル端末の操作に慣れたユーザーにとっては何ら問題はない。ところが、モバイル端末の操作に不慣れなユーザーにとっては、これらの操作が煩雑であったり、困難であったりすることが容易に予測される。
【０００８】
このような場合、モバイル端末の画面を下方に向けて画像形成装置の原稿読取部にセットし、モバイル端末の画面に表示されている画像が画像形成装置のスキャナー部によって読み取られるようにすると、モバイル端末の画面に表示される画像に対する印刷等の画像処理を手軽に行えるものと考えられる。
【０００９】
ところが、モバイル端末の画面に表示される画像を複数枚に渡って読み取らせる場合、モバイル端末の画面に表示される画像を切り替えての原稿読取部へのセットのし直し等が必要となり、その操作が極めて煩雑になるものと容易に予測される。
【００１０】
このようなことから、モバイル端末の画面に表示される画像を複数枚に渡って読み取らせる処理を手軽に行える装置の開発が望まれている。
【００１１】
本発明は、このような状況に鑑みてなされたものであり、上記問題点を解消することができる画像形成装置及び画像読取プログラムを提供することを目的とする。
【課題を解決するための手段】
【００１２】
本発明の画像形成システムは、画像を表示する画面と、光検出部とを備える読取対象、及び前記読取対象をセットする原稿読取部と、光源を有し、前記読取対象の画面の画像を読み取るスキャナー部と、前記読取対象側から光が放出されているどうかを検出する光検出センサーと、前記光検出センサーの検出結果に基づき、前記スキャナー部に対し、前記光源をＯＦＦにしての前記読取対象の画面の画像の読み取り、又は前記光源をＯＮにしての前記読取対象の画面の画像の読み取りを指示するシステム制御部とを備える画像形成装置を含み、前記システム制御部は、前記スキャナー部が前記読取対象の画面の画像を読み取った後、前記光源の点滅動作又は点灯動作を実行し、前記画面の画像を前記スキャナー部に読み取らせ、前記読取対象は、前記光検出部が前記光源の前記点滅動作又は点灯動作による光を検出すると、前記画面に表示する画像を切り替えることを特徴とする。
また、前記システム制御部は、前記光検出センサーが前記読取対象側から光が放出されていることを検出すると、前記スキャナー部に対し、前記光源をＯＦＦにしての前記読取対象の画像の読み取りを指示し、前記光検出センサーが前記読取対象側から光が放出されていないことを検出すると、前記スキャナー部に対し、前記光源をＯＮにしての前記読取対象の画像の読み取りを指示することを特徴とする。
また、前記システム制御部は、前記スキャナー部が前記画面の最終ページの画像を読み取った後、前記光源の前記点滅動作又は点灯動作を実行しないことを特徴とする。
本発明の画像形成システムは、画像を表示する画面と、光検出部とを備える読取対象、及び前記読取対象をセットする原稿読取部と、光源を有し、前記読取対象の画面の画像を読み取るスキャナー部と、前記読取対象側から光が放出されているどうかを検出する光検出センサーと、前記光検出センサーの検出結果に基づき、前記スキャナー部に対し、前記光源をＯＦＦにしての前記読取対象の画面の画像の読み取り、又は前記光源をＯＮにしての前記読取対象の画面の画像の読み取りを指示するシステム制御部とを備える画像形成装置を含み、前記読取対象は、前記画面にユーザー情報と決済関連情報とを含むデポジット情報を示すデポジット関連画像を表示し、前記システム制御部は、前記スキャナー部が読み取った前記デポジット関連画像の画像データをデポジット管理サーバーに送信し、前記デポジット管理サーバーからのユーザー認証と決済関連情報との確認結果に問題が無ければ、前記光源の点滅動作又は点灯動作を実行し、前記画面の画像を前記スキャナー部に読み取らせ、前記読取対象は、前記光検出部が前記光源の前記点滅動作又は点灯動作による光を検出すると、前記画面に表示する画像を切り替えることを特徴とする。
本発明の画像形成装置は、読取対象をセットする原稿読取部と、光源を有し、前記読取対象の画面の画像を読み取るスキャナー部と、前記読取対象側から光が放出されているどうかを検出する光検出センサーと、前記光検出センサーの検出結果に基づき、前記スキャナー部に対し、前記光源をＯＦＦにしての前記読取対象の画面の画像の読み取り、又は前記光源をＯＮにしての前記読取対象の画面の画像の読み取りを指示するシステム制御部とを備え、前記システム制御部は、前記スキャナー部が前記読取対象の画面の画像を読み取った後、前記光源の点滅動作又は点灯動作を実行し、前記点滅動作又は点灯動作に応じて前記読取対象が切り替えた前記画面の画像を前記スキャナー部に読み取らせることを特徴とする。
本発明の画像形成装置は、読取対象をセットする原稿読取部と、光源を有し、前記読取対象の画面の画像を読み取るスキャナー部と、前記読取対象側から光が放出されているどうかを検出する光検出センサーと、前記光検出センサーの検出結果に基づき、前記スキャナー部に対し、前記光源をＯＦＦにしての前記読取対象の画面の画像の読み取り、又は前記光源をＯＮにしての前記読取対象の画面の画像の読み取りを指示するシステム制御部とを備え、前記システム制御部は、前記スキャナー部が読み取った前記読取対象の画面のユーザー情報と決済関連情報とを含むデポジット情報を示すデポジット関連画像の画像データをデポジット管理サーバーに送信し、前記デポジット管理サーバーからのユーザー認証と決済関連情報との確認結果に問題が無ければ、前記光源の点滅動作又は点灯動作を実行し、前記画面の画像を前記スキャナー部に読み取らせることを特徴とする。
本発明の画像読取プログラムは、画像形成装置を制御するコンピューターに実行させる画像読取プログラムであって、光源を有するスキャナー部により、原稿読取部にセットされた読取対象の画面の画像を読み取る工程と、光検出センサーにより、前記読取対象側から光が放出されているどうかを検出する工程と、システム制御部により、前記光検出センサーの検出結果に基づき、前記スキャナー部に対し、前記光源をＯＦＦにしての前記読取対象の画面の画像の読み取り、又は前記光源をＯＮにしての前記読取対象の画面の画像の読み取りを指示する工程とを具備し、さらに、前記システム制御部は、前記スキャナー部が前記読取対象の画面の画像を読み取った後、前記光源の点滅動作又は点灯動作を実行し、前記点滅動作又は点灯動作に応じて前記読取対象が切り替えた前記画面の画像を前記スキャナー部に読み取らせる工程を有することを特徴とする。
本発明の画像読取プログラムは、画像形成装置を制御するコンピューターに実行させる画像読取プログラムであって、光源を有するスキャナー部により、原稿読取部にセットされた読取対象の画面の画像を読み取る工程と、光検出センサーにより、前記読取対象側から光が放出されているどうかを検出する工程と、システム制御部により、前記スキャナー部が読み取った前記読取対象の画面のユーザー情報と決済関連情報とを含むデポジット情報を示すデポジット関連画像の画像データをデポジット管理サーバーに送信する工程とを具備し、さらに、前記システム制御部は、前記デポジット管理サーバーからのユーザー認証と決済関連情報との確認結果に問題が無ければ、前記光源の点滅動作又は点灯動作を実行し、前記画面の画像を前記スキャナー部に読み取らせる工程を有することを特徴とする。
本発明の画像形成システム、画像形成装置及び画像読取プログラムでは、光源を有するスキャナー部により、原稿読取部にセットされた読取対象の画面の画像を読み取り、光検出センサーにより、読取対象側から光が放出されているどうかを検出し、システム制御部により、光検出センサーの検出結果に基づき、スキャナー部に対し、光源をＯＦＦにしての読取対象の画面の画像の読み取り、又は光源をＯＮにしての読取対象の画面の画像の読み取りを指示する。また、システム制御部は、スキャナー部が読取対象の画面の画像を読み取った後、光源の点滅動作又は点灯動作を実行し、点滅動作又は点灯動作に応じて読取対象が切り替えた画面の画像をスキャナー部に読み取らせる。
これにより、読取対象であるタブレット型端末等のモバイル端末の画面を原稿読取部に向けてセットすると、画像形成装置側の光源の点滅動作、又は点灯動作によってモバイル端末の画面が切り替わり、スキャナー部によって切り替わった画面の画像が読み取られる。
【発明の効果】
【００１３】
本発明の画像形成装置及び画像読取プログラムによれば、たとえばモバイル端末の画面を原稿読取部に向けてセットするだけで、モバイル端末の画面の切り替えと、切り替わった画面の画像の読み取りとが行われるため、モバイル端末の画面に表示される画像を複数枚に渡って読み取らせる処理を手軽に行うことができる。
【図面の簡単な説明】
【００１４】
【図１】本発明の画像形成装置をＭＦＰに適用した場合の第１の実施形態について説明するための図である。
【図２】図１のＭＦＰの原稿読取部を示すものであって、図２（ａ）は原稿読取部に印刷済みの用紙がセットされた場合を示す図であり、図２（ｂ）は原稿読取部にタブレット型端末がセットされた場合を示す図である。
【図３】図２（ｂ）のタブレット型端末の画面に表示される、図１のＭＦＰによる読取対象の画像を示すものであって、図３（ａ）は１ページ目の画像の一例を示す図であり、図３（ｂ）は２ページ目の画像の一例を示す図であり、図３（ｃ）は最終ページの画像の一例を示す図である。
【図４】図１のＭＦＰの構成について説明するための図である。
【図５】図１のＭＦＰによる画像読み取りの一例について説明するためのフローチャートである。
【図６】本発明の画像形成装置をＭＦＰに適用した場合の第２の実施形態について説明するための図である。
【図７】図２（ｂ）のタブレット型端末の画面に表示される、図１のＭＦＰによる読取対象の画像を示すものであって、図７（ａ）はタブレット型端末の画面に最初に表示される内容の一例を示す図であり、図７（ｂ）は１ページ目の画像の一例を示す図であり、図７（ｃ）は最終ページの画像の一例を示す図である。
【図８】図６のＭＦＰによる画像読み取りの一例について説明するためのフローチャートである。
【発明を実施するための形態】
【００１５】
（第１の実施形態）
以下、本発明の画像形成装置の第１の実施形態を、図１〜図５を参照しながら説明する。なお、以下の説明においての画像形成装置の一例としては、たとえば印刷機能、コピー機能、ＦＡＸ機能、ネットワーク経由でのデータ送受信機能等を搭載した複合的な周辺機器であるＭＦＰ(Multifunction Peripheral)であるものとする。
【００１６】
まず、図１に示すように、ＭＦＰ１００の本体１０１Ａの内部には、スキャナー部１０１、制御部１１０、給紙部１３０、プリンター部１４０、定着部１５０、搬送部１６０等が搭載されている。なお、符号１７０は給紙トレイ１７１を有するＡＤＦ(Auto Document Feeder)を示し、符号１８０は複数の排紙トレイ１８１を有するメールボックスを示している。ここで、ＡＤＦ１７０は、原稿カバー１７０Ａに組み込まれている。原稿カバー１７０Ａは、図２（ａ）、（ｂ）に示すように、ＭＦＰ１００の原稿読取台１０１Ｂに対して開閉自在に支持されている。また、原稿カバー１７０Ａは、閉塞時においてプラテンガラスで構成される原稿読取部１０１Ｃを覆う。
【００１７】
原稿読取部１０１Ｃの下方には、スキャナー部１０１、用紙検出センサー１０４、光検出センサー１０５が配置されている。スキャナー部１０１は、図示しない光源を有し、たとえばＡＤＦ１７０から自動給紙される、たとえば印刷済みの用紙２００の表面側及び裏面側に光源からの光を照射させつつ画像を読み取る。また、スキャナー部１０１は、図２（ａ）のように、原稿読取部１０１Ｃに印刷済みの用紙２００がセットされると、ホームポジションから矢印ａ方向に水平移動しつつ、光源からの光を照射させながら印刷済みの用紙２００に形成されている画像を読み取る。また、スキャナー部１０１は、図２（ｂ）、及び後述の図３（ａ）等のように、原稿読取部１０１Ｃにモバイル端末であるタブレット型端末３００が画面３０１を下方（スキャナー部１０１側）に向けてセットされると、上記同様に、ホームポジションから矢印ａ方向に水平移動しつつ、タブレット型端末３００の画面３０１に表示されている画像３１０等を読み取る。この場合、スキャナー部１０１は、光源からの光の照射を停止し、タブレット型端末３００の画面３０１に表示されている画像３１０等を読み取る。これにより、スキャナー部１０１の光源からの光と、タブレット型端末３００の画面３０１からの光との干渉等によるフレアの発生を抑制できる。なお、モバイル端末としては、タブレット型端末３００に限らず、スマートフォン等の携帯端末であってもよい。また、スキャナー部１０１は、詳細については後述するが、タブレット型端末３００の画面３０１の表示内容を変える場合、図示しない光源を設定に従って点滅させる。タブレット型端末３００は、後述の図３（ａ）等に示すカメラ３０２により、スキャナー部１０１の図示しない光源からの点滅光を取り込むと、画面３０１の表示内容を変える。ここで、タブレット型端末３００の画面３０１の表示内容を変えるとは、画面３０１を切り替えて他のページの画像３１０を表示させることである。
【００１８】
用紙検出センサー１０４は、原稿読取部１０１Ｃにセットされた印刷済みの用紙２００のサイズ、又はタブレット型端末３００の後述の図３（ａ）等に示す画面３０１のサイズを検出する。用紙検出センサー１０４による検出結果は、後述の用紙１３３の選択等に用いられる。光検出センサー１０５は、原稿読取部１０１Ｃ側から光が放出されているかどうかを検出する。すなわち、図２（ｂ）のように、原稿読取部１０１Ｃにタブレット型端末３００が後述の図３（ａ）等に示す画面３０１を下方に向けてセットされると、タブレット型端末３００の画面３０１からの光が光検出センサー１０５側に向けて放出される。この場合、光検出センサー１０５がタブレット型端末３００の画面３０１からの光を検出するため、原稿読取部１０１Ｃにセットされた読取対象がタブレット型端末３００であると判断できる。また、図２（ａ）のように、原稿読取部１０１Ｃに印刷済みの用紙２００がセットされた場合、光検出センサー１０５は光を検出しない。この場合、原稿読取部１０１Ｃにセットされた読取対象は、印刷済みの用紙２００であると判断できる。
【００１９】
制御部１１０は、各部の動作を制御するものであるが、詳細については後述する。給紙部１３０は、用紙サイズや用紙タイプの異なる様々な用紙１３３を収容できる複数の給紙カセット１３１ａ〜１３１ｃを収容する。
【００２０】
プリンター部１４０は、図示しない感光体ドラム、現像装置、帯電装置、露光装置等を有する、マゼンタ（Ｍ）、シアン（Ｃ）、イエロー（Ｙ）、ブラック（Ｋ）を含む画像形成ユニット１４１を備えている。また、プリンター部１４０は、１次転写ローラー１４２、駆動ローラー１４３、従動ローラー１４４、中間転写ベルト１４５、２次転写ローラー１４６を有している。画像形成ユニット１４１は、印刷データに基づき、帯電、露光及び現像の工程により図示しない感光体ドラム上にトナー像を形成する。また、１次転写ローラー１４２は、図示しない感光体ドラム上のトナー像を、駆動ローラー１４３及び従動ローラー４４に張架されている中間転写ベルト１４５上に転写する。２次転写ローラー１４６は、用紙１３３の裏面側から圧接し、用紙１３３の表面側に中間転写ベルト１４５上のトナー画像を転写する。
【００２１】
定着部１５０は、加熱ローラー１５１と加圧ローラー１５２とを有している。加熱ローラー１５１は、図示しない熱源制御部によって制御される熱源からの熱を用紙１３３に与える。加圧ローラー１５２は、用紙１３３を加熱ローラー１５１側に押しつける。そして、定着部１５０は、駆動ローラー１４３と２次転写ローラー１４６とにより、トナー画像が転写された用紙１３３に対し、加圧ローラー１５２による圧と加熱ローラー１５１による熱とを加える。これにより、用紙１３３にトナー画像が定着される。
【００２２】
搬送部１６０は、給紙カセット１３１ａ〜１３１ｃからメールボックス１８０まで延びる搬送路を有している。ＡＤＦ１７０は、複数の搬送ローラー１７２〜１７７と、給紙口１７８と、排出口１７９とを有している。給紙トレイ１７１には、原稿となる複数枚のたとえば印刷済みの用紙２００をセットすることができる。また、給紙トレイ１７１にセットされたたとえば印刷済みの用紙２００は、図示しない分離機構により１枚ずつに分離される。メールボックス１８０は、制御部１１０の制御により、たとえば印刷済みの用紙２００に対し、用紙２００の余白のサイズに応じて指定された排紙トレイ１８１への仕分けを行う。
【００２３】
次に、図３を参照し、タブレット型端末３００の画面３０１に表示される内容について説明する。まず、図３（ａ）は１ページ目の画像３１０の一例を示し、図３（ｂ）は２ページ目の画像３１０の一例を示し、図３（ｃ）は最終ページの画像３１０の一例を示している。ここで、タブレット型端末３００は、たとえば図３（ａ）に示すように、画面３０１が設けられている側にカメラ３０２を設けている。カメラ３０２は、光検出部の一例である。また、図３（ａ）に示す画面３０１には、画像３１０の読み取りのページ数を示す制御情報を示すＱＲコード（登録商標）３１１が表示されている。これにより、ＭＦＰ１００は、ＱＲコード（登録商標）３１１を読み取ることで、画像３１０の読み取りのページ数を把握できる。
【００２４】
なお、ＱＲコード（登録商標）３１１は、最終ページの画像３１０を示す図３（ｃ）の画面３０１に表示されるようにしてもよい。この場合のＱＲコード（登録商標）３１１は、画像３１０の読み取りの最終ページを示すものとなっていればよい。これにより、ＭＦＰ１００は、最終ページでのＱＲコード（登録商標）３１１を読み取ることで、読み取った画像３１０が最終ページのものであることを把握できる。また、ＱＲコード（登録商標）３１１に読み取りのページ数を示す内容を含ませずに、図３（ｃ）の最終ページにたとえば最終ページを示す「最後」等の文字や図形を表示させてもよい。これにより、ＭＦＰ１００は、「最後」等の文字や図形を読み取ることで、最終ページであることを把握できる。また、ＱＲコード（登録商標）３１１に代えて、バーコードを用いてもよい。
【００２５】
ここで、スキャナー部１０１は、たとえば図３（ａ）の１ページ目の画像３１０、及びＱＲコード（登録商標）３１１を読み取ると、後述の図４に示すシステム制御部１２１がＱＲコード（登録商標）３１１から読み取るべき画像３１０が複数ページに渡っていることを把握する。この場合、システム制御部１２１は、後述の図４に示すスキャナー制御部１１１を介し、スキャナー部１０１の図示しない光源を点滅させる。この図示しない光源の点滅は、タブレット型端末３００に対して画面３０１を切り替えさせることを指示するものである。すなわち、タブレット型端末３００に画面３０１に画像３１０を表示させたり、画面３０１を切り替えたりする画像表示アプリケーション（以下、画像表示アプリという）をインストールしておく。タブレット型端末３００は、画像表示アプリを起動させた状態で、カメラ３０２により、スキャナー部１０１の図示しない光源からの点滅光を取り込むと、画面３０１の切り替えの指示であることを認識する。これにより、タブレット型端末３００は、カメラ３０２により、スキャナー部１０１の図示しない光源からの点滅光を取り込む度に、画面３０１の切り替えの指示であることを認識し、図３（ａ）の１ページ目を表示している画面３０１を、２ページ目を表示する図３（ｂ）の画面３０１に切り替え、さらに、２ページ目を表示する図３（ｂ）の画面３０１を、３ページ目を表示する図３（ｃ）の画面３０１に切り替える。なお、画面３０１の切り替えの指示については、スキャナー部１０１の図示しない光源の点滅に限らず、スキャナー部１０１の図示しない光源の一定時間での点灯であってもよい。なお、図示しない光源の点滅回数については、任意に設定できる。また、図示しない光源の点灯時間についても、任意に設定できる。また、画面３０１の切り替えの指示については、スキャナー部１０１の図示しない光源の点滅や点灯に限らず、ＬＥＤ（Light Emitting Diode）等の別の光源を用意し、その光源を点滅させたり、点灯させたりしてもよい。また、スキャナー部１０１の図示しない光源の点滅や点灯の開始位置は、スキャナー部１０１が図２（ｂ）のように、矢印ａ方向に水平移動しつつ、タブレット型端末３００の画面３０１の画像３１０を読み取った後であればよい。この場合、スキャナー部１０１の図示しない光源の点滅や点灯による光は、プラテンガラスで構成される原稿読取部１０１Ｃの面で反射して広がるため、タブレット型端末３００のカメラ３０２により確実に取り込まれる。
【００２６】
また、後述のシステム制御部１２１は、スキャナー部１０１は、図３（ｃ）の３ページ目（最終ページ）の画像３１０を読み取った後、図示しない光源の点滅の動作を実行せずに、タブレット型端末３００を通常モードからスリープモードに移行させてもよい。また、タブレット型端末３００は、光検出部として、カメラ３０２の代わりに、図示しない光検出センサーにより、スキャナー部１０１の図示しない光源の点滅光、又は点灯光を検出してもよい。
【００２７】
次に、図４を参照し、図１の制御部１１０の構成について説明する。制御部１１０は、スキャナー部１０１、プリンター部１４０、ＦＡＸ(Facsimile)部１０２、Ｉ／Ｆ（インターフェース）１０３、用紙検出センサー１０４、光検出センサー１０５、パネル部１０６及びＨＤＤ(Hard Disk Drive)１０７の動作を制御する。
【００２８】
スキャナー部１０１は、イメージセンサ（図示省略）によって読み取られる、たとえば印刷済みの用紙２００上の画像、又はタブレット型端末３００の画面３０１上の画像３１０等をデジタルの画像データに変換し、制御部１１０に入力するデバイスである。プリンター部１４０は、制御部１１０から出力される印刷データに基づき、白紙の用紙１３３上等に画像を印刷するデバイスである。ＦＡＸ部１０２は、制御部１１０から出力されるデータを、電話回線を通じ相手方となるファクシミリへと送信し、また、相手方ファクシミリからのデータを受信して制御部１１０に入力するデバイスである。
【００２９】
Ｉ／Ｆ１０３は、ネットワークを介し、他のＭＦＰ１００やユーザー端末等との通信を受け持つ。なお、Ｉ／Ｆ１０３は、図示しないコンテンツサーバーやウェブサーバー等との通信を受け持ってもよい。用紙検出センサー１０４は、図２（ａ）、（ｂ）のように、原稿読取部１０１Ｃにセットされた印刷済みの用紙２００のサイズ、又はタブレット型端末３００の画面３０１のサイズを検出する。用紙検出センサー１０４による検出結果は、用紙１３３の選択等に用いられる。光検出センサー１０５は、図２（ａ）のように、原稿読取部１０１Ｃに印刷済みの用紙２００がセットされた場合、印刷済みの用紙２００側からの光を検出しない。一方、図２（ｂ）のように、原稿読取部１０１Ｃにタブレット型端末３００がセットされた場合、タブレット型端末３００の画面３０１から放出される光を検出する。このように、光検出センサー１０５が読取対象側からの光の有無を検出することで、原稿読取部１０１Ｃにセットされた読取対象が印刷済みの用紙２００であるか、タブレット型端末３００であるかを判断できる。パネル部１０６は、たとえばＭＦＰ１００の印刷機能、コピー機能、ＦＡＸ機能、ネットワーク経由でのデータ送受信機能や、各種設定のための表示を行うタッチパネルとハードウェアキーとを有するデバイスである。ＨＤＤ１０７は、ＭＦＰ１００の種々の機能を提供するためのアプリケーションプログラム等を記憶している記憶デバイスである。また、ＨＤＤ１０７は、ユーザー端末側から登録された印刷ジョブを記憶するユーザーボックスを有している。
【００３０】
制御部１１０は、認証プログラム等のアプリケーションプログラム、画像読取プログラム、及び制御プログラム等を実行してＭＦＰ１００全体の動作を制御するプロセッサーである。制御部１１０は、スキャナー制御部１１１、プリンター制御部１１２、ＦＡＸ制御部１１３、通信制御部１１４、ＲＡＭ(Random Access Memory)１１５、EEPROM(electrically erasable and programmable read-only memory)１１６、画像処理部１１７、センサー制御部１１８、パネル操作制御部１１９、ＨＤＤ制御部１２０、システム制御部１２１を備えている。また、これらは、データバス１２２に接続されている。
【００３１】
スキャナー制御部１１１は、スキャナー部１０１の読み取り動作を制御する。プリンター制御部１１２は、プリンター部１４０の印刷動作を制御する。ＦＡＸ制御部１１３は、ＦＡＸ部１０２によるデータの送受信動作を制御する。通信制御部１１４は、Ｉ／Ｆ１０３を介し、ネットワーク経由でのデータ等の送受信の制御を行う。ＲＡＭ１１５は、プログラムを実行するためのワークメモリーである。また、ＲＡＭ１１５は、画像処理部１１７によって後述のスクリーン処理や、画像処理（ラスタライズ）された印刷データを記憶する記憶デバイスである。EEPROM１１６には、各部の動作チェックや起動シーケンスを生成する制御プログラム等が記憶されている。
【００３２】
画像処理部１１７は、詳細については後述するが、スキャナー部１０１によって読み取られた画像データに対する画像処理（ラスタライズ、スクリーン処理等）を行う。また、画像処理部１１７は、ＨＤＤ１０７のユーザーボックスに登録された印刷ジョブに対する画像処理（ラスタライズ、スクリーン処理等）を行う。なお、システム制御部１２１は、画像処理部１１７が画像処理（ラスタライズ、スクリーン処理等）した印刷データを、一旦、ＲＡＭ１１５に記憶させる。センサー制御部１１８は、用紙検出センサー１０４、及び光検出センサー１０５の検出動作を制御する。なお、センサー制御部１１８は、用紙検出センサー１０４、又は光検出センサー１０５のいずれか一方に対し、印刷済みの用紙２００のサイズの検出、タブレット型端末３００の画面３０１のサイズの検出、タブレット型端末３００の画面３０１から放出される光の検出を制御してもよい。この場合、用紙検出センサー１０４、又は光検出センサー１０５のいずれか一方が故障した際、用紙検出センサー１０４、又は光検出センサー１０５の他方を制御し、サイズ等の検出を制御できる。又は、用紙検出センサー１０４、又は光検出センサー１０５のいずれか一方を省くことで、部品点数の削減等を図ることができる。パネル操作制御部１１９は、パネル部１０６の表示動作を制御する。また、パネル操作制御部１１９は、パネル部１０６を介しての設定等の指示を受け付ける。
【００３３】
ＨＤＤ制御部１２０は、ＨＤＤ１０７に対するデータの読み出し及び書き込み等を制御する。システム制御部１２１は、各部の連携動作等を制御する。また、システム制御部１２１は、たとえばパネル部１０６を介しての印刷指示があると、画像処理部１１７、及びプリンター制御部１１２に対し、印刷を指示する。また、システム制御部１２１は、光検出センサー１０５が原稿読取部１０１Ｃ側からの光を検出した場合、スキャナー制御部１１１を介し、スキャナー部１０１の光源からの照射をＯＦＦさせる。これにより、スキャナー部１０１の光源からの光と、原稿読取部１０１Ｃ側からの光との干渉等によるフレアの発生を抑制でき、スキャナー部１０１による画像を読み取りが適切に行われる。また、システム制御部１２１は、スキャナー部１０１が図３（ａ）に示した画像３１０、及びＱＲコード（登録商標）３１１を読み取ると、ＱＲコード（登録商標）３１１が示す読み取るべきページ数を把握する。また、システム制御部１２１は、読み取るべきページ数が複数であるとき、スキャナー制御部１１１に対し、スキャナー部１０１の図示しない光源の点滅を指示する。これにより、タブレット型端末３００側では、画面３０１を自動的に切り替えるので、スキャナー部１０１により最終ページまでの画像３１０を続けて読み取ることができる。
【００３４】
なお、システム制御部１２１による、読み取るべきページ数が複数であるときのスキャナー制御部１１１に対する指示は、スキャナー部１０１によって画像３１０が読み取られる度に行ってもよい。すなわち、システム制御部１２１は、スキャナー制御部１１１に対し、読み取るべきページ数が３ページである場合、スキャナー部１０１による１回目の読み取りの後と、スキャナー部１０１による２回目までの読み取りの後にスキャナー部１０１の図示しない光源を点滅させるように指示する。そして、システム制御部１２１は、スキャナー部１０１による３回目の読み取りの後（すなわち、最終ページの読み取り後）、スキャナー制御部１１１に対する、スキャナー部１０１の図示しない光源の点滅の指示を行わない。また、システム制御部１２１は、スキャナー制御部１１１に対して、予め読み取り回数を指示しておいてもよい。すなわち、システム制御部１２１は、スキャナー制御部１１１に対し、読み取るべきページ数が３ページである場合、スキャナー部１０１による読み取りが３回であることを指示しておいてもよい。
【００３５】
なお、ＱＲコード（登録商標）３１１は、図３（ａ）の１ページ目の画面３０１に限らず、図３（ｃ）の３ページ目（最終ページ）の画面３０１に表示されていてもよい。この場合、ＱＲコード（登録商標）３１１は、最終ページを示すものとする。この場合、システム制御部１２１は、スキャナー制御部１１１に対し、スキャナー部１０１によって画像３１０が読み取られる度に、スキャナー部１０１の図示しない光源の点滅を指示する。そして、システム制御部１２１は、スキャナー部１０１が図３（ｃ）の３ページ目（最終ページ）の画像３１０と最終ページを示すＱＲコード（登録商標）３１１とを読み取ると、スキャナー制御部１１１に対する、スキャナー部１０１の図示しない光源の点滅の指示を行わない。
【００３６】
次に、図５を参照し、第１の実施形態でのＭＦＰ１００による画像読み取りの一例について説明する。なお、以下では、印刷済みの用紙２００の画像、又はタブレット型端末３００の画面の画像を読み取る場合で説明する。また、以下では、タブレット型端末３００の１ページ目の画像３１０には、読み取るべきページ数を示すＱＲコード（登録商標）３１１が付加されている場合として説明する。また、以下では、たとえばコピー、送信、保存のいずれかのジョブが設定される場合として説明する。
【００３７】
（ステップＳ１０１）
システム制御部１２１は、原稿がセットされたかどうかを判断する。
この場合、システム制御部１２１は、センサー制御部１１８からの用紙検出センサー１０４による検出があることを示す通知が無ければ原稿がセットされないと判断し（ステップＳ１０１：Ｎｏ）、原稿のセット待ちとなる。
これに対し、システム制御部１２１は、センサー制御部１１８からの用紙検出センサー１０４による検出があることを示す通知が有れば原稿がセットされたと判断し（ステップＳ１０１：Ｙｅｓ）、ステップＳ１０２に移行する。
【００３８】
（ステップＳ１０２）
システム制御部１２１は、光を検出したかどうかを判断する。
この場合、システム制御部１２１は、センサー制御部１１８からの光検出センサー１０５が原稿読取部１０１Ｃ側からの光を検出したことを示す通知が無ければ光を検出しないと判断し（ステップＳ１０２：Ｎｏ）、ステップＳ１０５に移行する。
すなわち、図２（ａ）のように、原稿読取部１０１Ｃにたとえば印刷済みの用紙２００がセットされた場合、光検出センサー１０５は光を検出しない。この場合、システム制御部１２１は、センサー制御部１１８からの光検出センサー１０５が原稿読取部１０１Ｃ側からの光を検出したことを示す通知が無いため、読取対象をたとえば印刷済みの用紙２００と判断できる。
これに対し、システム制御部１２１は、センサー制御部１１８からの光検出センサー１０５が原稿読取部１０１Ｃ側からの光を検出したことを示す通知が有れば光を検出したと判断し（ステップＳ１０２：Ｙｅｓ）、ステップＳ１０３に移行する。
すなわち、図２（ｂ）のように、原稿読取部１０１Ｃにたとえばタブレット型端末３００が画面３０１を光検出センサー１０５側に向けてセットされた場合、光検出センサー１０５は画面３０１から放出される光を検出する。この場合、システム制御部１２１は、センサー制御部１１８からの光検出センサー１０５が原稿読取部１０１Ｃ側からの光を検出したことを示す通知が有るため、読取対象をたとえばタブレット型端末３００と判断できる。
【００３９】
（ステップＳ１０３）
システム制御部１２１は、スキャナー制御部１１１に対し、スキャナー部１０１の光源からの照射のＯＦＦを指示する。
このとき、スキャナー制御部１１１は、システム制御部１２１からの指示を受け付け、後述するステップＳ１１０で当該指示を実行する。
【００４０】
（ステップＳ１０４）
システム制御部１２１は、原稿であるタブレット型端末３００の画面サイズを検出させる。
この場合、システム制御部１２１は、センサー制御部１１８に対し、用紙検出センサー１０４によるタブレット型端末３００の画面サイズの検出を指示する。
このとき、センサー制御部１１８は、用紙検出センサー１０４を制御し、タブレット型端末３００の画面を検出し、画面サイズを示すサイズデータをシステム制御部１２１に通知する。
【００４１】
（ステップＳ１０５）
システム制御部１２１は、スキャナー制御部１１１に対し、スキャナー部１０１の光源からの照射のＯＮを指示する。
このとき、スキャナー制御部１１１は、システム制御部１２１からの指示を受け付け、後述するステップＳ１１０で当該指示を実行する。
【００４２】
（ステップＳ１０６）
システム制御部１２１は、原稿である印刷済みの用紙２００のサイズを検出させる。
この場合、システム制御部１２１は、センサー制御部１１８に対し、用紙検出センサー１０４による印刷済みの用紙２００のサイズの検出を指示する。
このとき、センサー制御部１１８は、用紙検出センサー１０４を制御し、印刷済みの用紙２００を検出し、サイズを示すサイズデータをシステム制御部１２１に通知する。
【００４３】
（ステップＳ１０７）
システム制御部１２１は、サイズデータを取得する。
この場合、システム制御部１２１は、ステップＳ１０４で、センサー制御部１１８からのタブレット型端末３００の画面のサイズを示すサイズデータを受け取った場合、そのサイズデータを取得する。
一方、システム制御部１２１は、ステップＳ１０６で、センサー制御部１１８からの印刷済みの用紙２００のサイズを示すサイズデータを受け取った場合、そのサイズデータを取得する。
【００４４】
（ステップＳ１０８）
システム制御部１２１は、ジョブの設定を受け付けたかどうかを判断する。
この場合、システム制御部１２１は、パネル操作制御部１１９からのパネル部１０６を介してジョブの設定を受け付けたことを示す通知が無ければジョブの設定を受け付けていないと判断し（ステップＳ１０８：Ｎｏ）、ジョブの設定待ちとなる。
これに対し、システム制御部１２１は、パネル操作制御部１１９からのパネル部１０６を介してジョブの設定を受け付けたことを示す通知が有ればジョブの設定を受け付けたと判断し（ステップＳ１０８：Ｙｅｓ）、ステップＳ１０９に移行する。
なお、ここで受け付けたジョブの設定は、たとえばコピー、送信、保存のいずれかとする。
【００４５】
（ステップＳ１０９）
システム制御部１２１は、スタートボタンが押下されたかどうかを判断する。
この場合、システム制御部１２１は、パネル操作制御部１１９からのパネル部１０６を介してスタートボタンの操作を受け付けたことを示す通知が無ければスタートボタンが押下されていないと判断し（ステップＳ１０９：Ｎｏ）、スタートボタンの押下待ちとなる。
これに対し、システム制御部１２１は、パネル操作制御部１１９からのパネル部１０６を介してスタートボタンの操作を受け付けたことを示す通知が有ればスタートボタンが押下されたと判断し（ステップＳ１０９：Ｙｅｓ）、ステップＳ１１０に移行する。
【００４６】
（ステップＳ１１０）
システム制御部１２１は、原稿の読み取りを指示する。
この場合、システム制御部１２１は、スキャナー制御部１１１に対し、スキャナー部１０１による読み取りを指示する。
すなわち、スキャナー制御部１１１は、ステップＳ１０２で読取対象がタブレット型端末３００の画面であると判断されている場合、スキャナー部１０１の光源からの照射をＯＦＦにした状態で、図２（ｂ）に示したように、スキャナー部１０１を矢印ａ方向に水平移動させつつタブレット型端末３００の画面３０１の図３（ａ）の１ページ目の画像３１０を読み取らせる。
このとき、スキャナー部１０１は、図３（ａ）のように、タブレット型端末３００の画面３０１の１ページ目の画像３１０にＱＲコード（登録商標）３１１が付加されているため、画像３１０とＱＲコード（登録商標）３１１とを読み取る。
これに対し、スキャナー制御部１１１は、ステップＳ１０２での読取対象が印刷済みの用紙２００であると判断されている場合、スキャナー部１０１の光源からの照射をＯＮにした状態で、図２（ａ）に示したように、スキャナー部１０１を矢印ａ方向に水平移動させつつ印刷済みの用紙２００の画像を読み取らせる。
【００４７】
（ステップＳ１１１）
システム制御部１２１は、原稿の読み取りが完了したかどうかを判断する。
この場合、システム制御部１２１は、スキャナー制御部１１１からのスキャナー部１０１によるタブレット型端末３００の画面の画像の読み取り、又は印刷済みの用紙２００の画像の読み取りが終わったことを示す通知が無ければ原稿の読み取りが完了していないと判断し（ステップＳ１１１：Ｎｏ）、原稿の読み取り待ちとなる。
これに対し、システム制御部１２１は、スキャナー制御部１１１からのスキャナー部１０１によるタブレット型端末３００の画面の画像の読み取り、又は印刷済みの用紙２００の画像の読み取りが終わったことを示す通知が有れば原稿の読み取りが完了したと判断し（ステップＳ１１１：Ｙｅｓ）、ステップＳ１１２に移行する。
ここで、システム制御部１２１は、スキャナー部１０１が読み取ったＱＲコード（登録商標）３１１から読み取るべきページ数を把握する。
【００４８】
（ステップＳ１１２）
システム制御部１２１は、次に読み取る原稿が有るかどうかを判断する。
この場合、システム制御部１２１は、ステップＳ１１１で把握した読み取るべきページ数が複数無いと把握した場合、次に読み取る原稿が無いと判断し（ステップＳ１１２：Ｎｏ）、ステップＳ１１６に移行する。
また、システム制御部１２１は、ステップＳ１０２での読取対象が印刷済みの用紙２００であると判断されている場合、次に読み取る原稿が無いと判断し（ステップＳ１１２：Ｎｏ）、ステップＳ１１６に移行する。
これに対し、システム制御部１２１は、ステップＳ１１１で把握した読み取るべきページ数が複数有ると把握した場合、スキャナー部１０１による原稿の読み取り回数が読み取るべきページ数に満たないとき、次に読み取る原稿が有ると判断し（ステップＳ１１２：Ｙｅｓ）、ステップＳ１１３に移行する。
【００４９】
（ステップＳ１１３）
システム制御部１２１は、スキャナー制御部１１１に対し、スキャナー部１０１の図示しない光源の点滅を指示する。
このとき、スキャナー制御部１１１は、スキャナー部１０１の図示しない光源を設定に従って点滅させる。
また、このとき、タブレット型端末３００は、図３（ａ）等に示すカメラ３０２により、スキャナー部１０１の図示しない光源からの点滅光を取り込むと（すなわち、点滅光を検出すると）、画面３０１の表示内容を変える。すなわち、タブレット型端末３００は、画面３０１に図３（ａ）の１ページ目の画像３１０を表示している場合、画面３０１に図３（ｂ）の２ページ目の画像３１０を表示させるように切り替える。
【００５０】
（ステップＳ１１４）
システム制御部１２１は、原稿の読み取りを指示する。
この場合、システム制御部１２１は、スキャナー制御部１１１に対し、スキャナー部１０１による読み取りを指示する。ここで、システム制御部１２１は、ステップＳ１１３の処理を実行後、特定時間待機して、原稿の読み取りを指示してもよい。
すなわち、スキャナー制御部１１１は、ステップＳ１０２で読取対象がタブレット型端末３００の画面であると判断されている場合、スキャナー部１０１の光源からの照射をＯＦＦにした状態で、図２（ｂ）に示したように、スキャナー部１０１を矢印ａ方向に水平移動させつつタブレット型端末３００の画面３０１の図３（ｂ）の２ページ目の画像３１０を読み取らせる。
【００５１】
（ステップＳ１１５）
システム制御部１２１は、原稿の読み取りが完了したかどうかを判断する。
この場合、システム制御部１２１は、スキャナー制御部１１１からのスキャナー部１０１によるタブレット型端末３００の画面の画像３１０の読み取りが終わったことを示す通知が無ければ原稿の読み取りが完了していないと判断し（ステップＳ１１５：Ｎｏ）、原稿の読み取り待ちとなる。
これに対し、システム制御部１２１は、スキャナー制御部１１１からのスキャナー部１０１によるタブレット型端末３００の画面の画像の読み取りが終わったことを示す通知が有れば原稿の読み取りが完了したと判断し（ステップＳ１１５：Ｙｅｓ）、ステップＳ１１２に移行する。
なお、システム制御部１２１は、ステップＳ１１２に移行した場合、次に読み取る原稿が有るため、ステップＳ１１３でスキャナー制御部１１１に対し、スキャナー部１０１の図示しない光源の点滅を指示し、ステップＳ１１４で原稿の読み取りを指示し、ステップＳ１１５で原稿の読み取りが完了すると、ステップＳ１１２からステップＳ１１６に移行する。
【００５２】
（ステップＳ１１６）
システム制御部１２１は、ジョブの設定の内容に基づいた処理を指示する。
この場合、システム制御部１２１は、ステップＳ１０８で受け付けたジョブの設定がコピーである場合、画像処理部１１７に対してスキャナー部１０１が読み取った画像の画像処理（ラスタライズ）を指示し、プリンター制御部１１２に対してプリンター部１４０による印刷を指示する。
また、システム制御部１２１は、ステップＳ１０８で受け付けたジョブの設定がＦＡＸ送信である場合、ＦＡＸ制御部１１３に対してＦＡＸ部１０２によるＦＡＸ送信を指示する。
また、システム制御部１２１は、ステップＳ１０８で受け付けたジョブの設定がデータ送信である場合、通信制御部１１４に対してＩ／Ｆ１０３によるデータ送信を指示する。
また、システム制御部１２１は、ステップＳ１０８で受け付けたジョブの設定が保存であり、画像データの保存先がたとえばＨＤＤ１０７である場合、ＨＤＤ制御部１２０に対し、ＨＤＤ１０７に対する画像データの保存を指示する。
【００５３】
（ステップＳ１１７）
システム制御部１２１は、指示した処理が終了したかどうかを判断する。
ここで、システム制御部１２１は、指示した処理がコピー印刷の場合、プリンター制御部１１２からの印刷終了を示す通知が無ければコピー印刷が終了していないと判断して終了待ちとなり（ステップＳ１１７：Ｎｏ）、プリンター制御部１１２からの印刷終了を示す通知が有ればコピー印刷が終了したと判断し（ステップＳ１１７：Ｙｅｓ）、処理を終了する。
また、システム制御部１２１は、指示した処理がたとえばＦＡＸ送信の場合、ＦＡＸ制御部１１３からの送信終了を示す通知が無ければＦＡＸ送信が終了していないと判断して終了待ちとなり（ステップＳ１１７：Ｎｏ）、ＦＡＸ制御部１１３からの送信終了を示す通知が有ればＦＡＸ送信が終了したと判断し（ステップＳ１１７：Ｙｅｓ）、処理を終了する。
また、システム制御部１２１は、指示した処理がたとえばデータ送信の場合、通信制御部１１４からの送信終了を示す通知が無ければデータ送信が終了していないと判断して終了待ちとなり（ステップＳ１１７：Ｎｏ）、通信制御部１１４からの送信終了を示す通知が有ればデータ送信が終了したと判断し（ステップＳ１１７：Ｙｅｓ）、処理を終了する。
また、システム制御部１２１は、指示した処理がたとえばＨＤＤ１０７への保存の場合、ＨＤＤ制御部１２０からの保存終了を示す通知が無ければ画像データの保存が終了していないと判断して終了待ちとなり（ステップＳ１１７：Ｎｏ）、ＨＤＤ制御部１２０からの保存終了を示す通知が有れば画像データの保存が終了したと判断し（ステップＳ１１７：Ｙｅｓ）、処理を終了する。
【００５４】
このように、第１の実施形態では、光源を有するスキャナー部１１０により、原稿読取部１０１Ｃにセットされたタブレット型端末３００（読取対象）の画面３０１の画像３１０を読み取り、光検出センサー１０５により、タブレット型端末３００（読取対象）から光が放出されているどうかを検出し、システム制御部１２１により、光検出センサー１０５の検出結果に基づき、スキャナー部１０１に対し、光源をＯＦＦにしてのタブレット型端末３００（読取対象）の画面３０１の画像３１０の読み取り、又は光源をＯＮにしてのタブレット型端末３００（読取対象）の画面３０１の画像３１０の読み取りを指示する。また、システム制御部１２１は、スキャナー部１０１がタブレット型端末３００の画面３０１の画像３１０を読み取った後、光源の点滅動作又は点灯動作を実行し、光源の点滅動作、又は点灯動作に応じてタブレット型端末３００（読取対象）が切り替えた画面３０１の画像３１０をスキャナー部１０１に読み取らせる。
【００５５】
これにより、タブレット型端末３００（読取対象）の画面３０１を原稿読取部１０１Ｃに向けてセットすると、ＭＦＰ１００側（画像形成装置側）の光源の点滅動作、又は点灯動作によってタブレット型端末３００（読取対象）の画面３０１が切り替わり、スキャナー部１０１によって切り替わった画面３０１の画像３１０が読み取られるので、タブレット型端末３００（読取対象）の画面３０１に表示される画像３１０を複数枚に渡って読み取らせる処理を手軽に行うことができる。
【００５６】
なお、第１の実施形態では、タブレット型端末３００等のモバイル端末の画面の画像を読み取る場合としているが、モバイル端末の画面の画像に限らず、ノートパソコン、ＰＣ(Personal Computer)、テレビ等の画面の画像をハンディースキャナーで読み取る場合に適用してもよい。画面の画像をハンディースキャナーで読み取る場合、ハンディースキャナーの光源をＯＦＦとすることで、上述したように、ハンディースキャナーの光源からの光と、テレビ等の画面からの光との干渉等によるフレアの発生を抑制できる。また、ハンディースキャナーの光源の点滅動作、又は点灯動作を制御することで、ノートパソコン、ＰＣ(Personal Computer)、テレビ等の画面の切り替えを指示することが可能となり、画面に表示される画像を複数枚に渡って読み取る処理を手軽に行える。
【００５７】
（第２の実施形態）
次に、本発明の画像形成装置の第２の実施形態を、図６〜図８を参照しながら説明する。なお、以下の説明においての画像形成装置の一例としては、第１の実施形態と同様に、たとえば印刷機能、コピー機能、ＦＡＸ機能、ネットワーク経由でのデータ送受信機能等を搭載した複合的な周辺機器であるＭＦＰ(Multifunction Peripheral)であるものとする。また、以下の説明においては、既に説明済みの図１、図２を適宜引用するものとする。また、以下において、図３、図４と共通する部分には同一符号を付し、重複する部分については適宜説明を加えるものとする。
【００５８】
まず、図６を参照し、第２の実施形態におけるＭＦＰ１００について説明する。なお、第２の実施形態では、第１の実施形態と同様に、タブレット型端末３００の画面３０１に表示される画像３１０を読み取る点で共通する。異なる点は、ＭＦＰ１００が読み取った画像３１０に対する、たとえばコピー、送信、保存のいずれかのジョブに対する課金処理を実行することである。以下、順を追って説明する。
【００５９】
ＭＦＰ１００は、ネットワーク５００を介してデポジット管理サーバー４００に接続されている。デポジット管理サーバー４００は、タブレット型端末３００を使用するユーザーのデポジット情報を管理する。ここで、デポジット情報には、ユーザー本人のパスワード、氏名、住所、連絡先（メールアドレス、電話番号等）等のユーザー情報と、クレジットカードやプリペードカード等に含まれる決済関連情報とが含まれる。また、デポジット情報には、ユーザーが予め登録した画像データや文書データ等のデータ情報が含まれてもよい。なお、データ情報の登録先は、ＨＤＤ１０７で有ってもよいし、デポジット管理サーバー４００であってもよいし、図示しないデータ管理サーバーであってもよい。また、ＭＦＰ１００は、詳細については後述するが、デポジット管理サーバー４００からのユーザー情報と決済関連情報と確認結果を一括管理してもよい。また、ＭＦＰ１００は、デポジット情報に、ユーザーが予め登録した画像データや文書データ等のデータ情報が含まれるようにした場合、ユーザー認証と決済関連情報との管理に加え、文書の管理を含めた一括管理も可能となる。
【００６０】
また、タブレット型端末３００は、デポジット情報を示すデポジット関連画像を形成するデポジット情報形成アプリケーション（以下、デポジット情報形成アプリという）を搭載している。ここで、デポジット情報を示すデポジット関連画像としては、後述の図７（ａ）に示すようなＱＲコード（登録商標）３２０を用いることができる。なお、ＱＲコード（登録商標）３２０に限らず、バーコードであってもよいし、予め決められている任意の画像であってもよい。
【００６１】
図６のＭＦＰ１００の制御部１１０は、図４と同様に、スキャナー部１０１、プリンター部１４０、ＦＡＸ(Facsimile)部１０２、Ｉ／Ｆ（インターフェース）１０３、用紙検出センサー１０４、光検出センサー１０５、パネル部１０６及びＨＤＤ(Hard Disk Drive)１０７の動作を制御する。
【００６２】
スキャナー部１０１は、上記同様に、イメージセンサ（図示省略）によって読み取られる、たとえば印刷済みの用紙２００上の画像、又はタブレット型端末３００の画面３０１上の画像３１０等をデジタルの画像データに変換し、制御部１１０に入力するデバイスである。Ｉ／Ｆ１０３は、上記同様に、ネットワークを介し、他のＭＦＰ１００やユーザー端末等との通信を受け持つ。なお、第２の実施形態でのＩ／Ｆ１０３は、ネットワーク５００を介し、デポジット管理サーバー４００に接続されている。用紙検出センサー１０４は、上記同様であり、図２（ａ）、（ｂ）のように、原稿読取部１０１Ｃにセットされた印刷済みの用紙２００のサイズ、又はタブレット型端末３００の画面３０１のサイズを検出する。光検出センサー１０５は、上記同様であり、図２（ａ）のように、原稿読取部１０１Ｃに印刷済みの用紙２００がセットされた場合、印刷済みの用紙２００側からの光を検出しない。一方、図２（ｂ）のように、原稿読取部１０１Ｃにタブレット型端末３００がセットされた場合、タブレット型端末３００の画面３０１から放出される光を検出する。パネル部１０６は、上記同様に、たとえばＭＦＰ１００の印刷機能、コピー機能、ＦＡＸ機能、ネットワーク経由でのデータ送受信機能や、各種設定のための表示を行うタッチパネルとハードウェアキーとを有するデバイスである。ＨＤＤ１０７は、上記同様に、ＭＦＰ１００の種々の機能を提供するためのアプリケーションプログラム等を記憶している記憶デバイスである。
【００６３】
制御部１１０は、上記同様に、認証プログラム等のアプリケーションプログラム、画像読取プログラム、及び制御プログラム等を実行してＭＦＰ１００全体の動作を制御するプロセッサーである。制御部１１０は、上記同様に、スキャナー制御部１１１、プリンター制御部１１２、ＦＡＸ制御部１１３、通信制御部１１４、ＲＡＭ(Random Access Memory)１１５、EEPROM(electrically erasable and programmable read-only memory)１１６、画像処理部１１７、センサー制御部１１８、パネル操作制御部１１９、ＨＤＤ制御部１２０、システム制御部１２１を備えている。また、これらは、データバス１２２に接続されている。
【００６４】
スキャナー制御部１１１は、上記同様に、スキャナー部１０１の読み取り動作を制御する。プリンター制御部１１２は、上記同様に、プリンター部１４０の印刷動作を制御する。ＦＡＸ制御部１１３は、上記同様に、ＦＡＸ部１０２によるデータの送受信動作を制御する。通信制御部１１４は、上記同様に、Ｉ／Ｆ１０３を介し、ネットワーク経由でのデータ等の送受信の制御を行う。ＲＡＭ１１５は、上記同様に、プログラムを実行するためのワークメモリーである。EEPROM１１６には、上記同様に、各部の動作チェックや起動シーケンスを生成する制御プログラム等が記憶されている。
【００６５】
画像処理部１１７は、上記同様に、スキャナー部１０１によって読み取られた画像データに対する画像処理（ラスタライズ、スクリーン処理等）を行う。センサー制御部１１８は、上記同様に、用紙検出センサー１０４、及び光検出センサー１０５の検出動作を制御する。なお、センサー制御部１１８は、上記同様に、用紙検出センサー１０４、又は光検出センサー１０５のいずれか一方に対し、印刷済みの用紙２００のサイズの検出、タブレット型端末３００の画面３０１のサイズの検出、タブレット型端末３００の画面３０１から放出される光の検出を制御してもよい。パネル操作制御部１１９は、上記同様に、パネル部１０６の表示動作を制御する。また、パネル操作制御部１１９は、上記同様に、パネル部１０６を介しての設定等の指示を受け付ける。ＨＤＤ制御部１２０は、上記同様に、ＨＤＤ１０７に対するデータの読み出し及び書き込み等を制御する。
【００６６】
システム制御部１２１は、上記同様に、各部の連携動作等を制御する。また、システム制御部１２１は、上記同様に、たとえばパネル部１０６を介しての印刷指示があると、画像処理部１１７、及びプリンター制御部１１２に対し、印刷を指示する。また、システム制御部１２１は、上記同様に、光検出センサー１０５が原稿読取部１０１Ｃ側からの光を検出した場合、スキャナー制御部１１１を介し、スキャナー部１０１の光源からの照射をＯＦＦさせる。また、システム制御部１２１は、スキャナー部１０１が図７（ａ）に示すデポジット情報を示すＱＲコード（登録商標）３２０を読み取ると、通信制御部１１４を介し、デポジット管理サーバー４００に対してＱＲコード（登録商標）３２０の画像データを送信する。また、システム制御部１２１は、スキャナー部１０１が図７（ａ）に示す制御情報であるＱＲコード（登録商標）３１１を読み取ると、上記同様に、ＱＲコード（登録商標）３１１が示す読み取るべきページ数を把握する。また、システム制御部１２１は、上記同様に、読み取るべきページ数が複数であるとき、スキャナー制御部１１１に対し、スキャナー部１０１の図示しない光源の点滅を指示する。これにより、上記同様に、タブレット型端末３００側では、画面３０１を自動的に切り替えるので、スキャナー部１０１により最終ページまでの画像３１０を続けて読み取ることができる。なお、デポジット管理サーバー４００は、ＭＦＰ１００からの画像データを元に、ユーザー認証と、決済関連情報との確認を行い、確認結果をＭＦＰ１００に送信する。また、デポジット管理サーバー４００は、決済処理を完了すると、デポジット情報に含まれているユーザーの連絡先のメールアドレスを用いて、決済状況を通知する。なお、決済状況を通知は、ＭＦＰ１００がデポジット管理サーバー４００からの決済状況の通知をタブレット型端末３００に転送する仕組みを用いてもよい。
【００６７】
次に、図７を参照し、タブレット型端末３００の画面３０１に表示される第２の実施形態での内容について説明する。まず、図７（ａ）は、タブレット型端末３００の画面３０１に最初に表示される内容の一例を示している。すなわち、タブレット型端末３００の画面３０１には、デポジット情報を示すＱＲコード（登録商標）３２０と、制御情報を示すＱＲコード（登録商標）３１１とが表示される。また、図７（ｂ）は１ページ目の画像３１０の一例を示し、図７（ｃ）は最終ページの画像３１０の一例を示している。ここで、デポジット情報を示すＱＲコード（登録商標）３２０は、上述したように、デポジット情報を示すデポジット関連画像を形成するデポジット情報形成アプリを起動させることで、タブレット型端末３００の画面３０１に最初に表示される。なお、第１の実施形態で説明したように、タブレット型端末３００には、ＭＦＰ１００のスキャナー部１０１の図示しない光源の点滅により、画面３０１を切り替えたりする画像表示アプリも搭載されている。この場合、デポジット情報形成アプリに連動し、画像表示アプリが起動するように設定することで、画像表示アプリの起動を、デポジット情報形成アプリの起動に連動させることができる。なお、両者の起動の連動は、予め設定されていてもよい。
【００６８】
また、図７（ａ）の制御情報を示すＱＲコード（登録商標）３１１は、上記同様に、読み取りのページ数を示すものである。ここで、タブレット型端末３００の画面３０１に表示される、制御情報を示すＱＲコード（登録商標）３１１と、デポジット情報を示すＱＲコード（登録商標）３２０との表示位置は、画像表示アプリとデポジット情報形成アプリとにより、自動的に重ならないように設定されるものとする。つまり、制御情報を示すＱＲコード（登録商標）３１１についてはたとえば画面３０１の隅（図示の例では左上）に表示され、デポジット情報を示すＱＲコード（登録商標）３２０については画面３０１の中央に表示されるように設定されているとする。これにより、ＭＦＰ１００は、表示位置により、制御情報を示すＱＲコード（登録商標）３１１であるか、デポジット情報を示すＱＲコード（登録商標）３２０であるかを容易に判断できる。なお、ＭＦＰ１００は、それぞれのＱＲコード（登録商標）３１１、３２０を解読し、制御情報を示すＱＲコード（登録商標）３１１であるか、デポジット情報を示すＱＲコード（登録商標）３２０であるかを判断してもよい。なお、ＱＲコード（登録商標）３１１については、上記同様に、バーコードを用いてもよい。
【００６９】
また、タブレット型端末３００は、上記同様であるが、たとえば図７（ａ）に示すように、画面３０１が設けられている側にカメラ３０２を設けている。カメラ３０２は、光検出部の一例である。そして、カメラ３０２が制御情報を示すＱＲコード（登録商標）３１１を読み取ることで、画像３１０の読み取りのページ数を把握できる。また、カメラ３０２がＱＲコード（登録商標）３２０を読み取ることで、デポジット情報であることを把握できる。なお、制御情報であるＱＲコード（登録商標）３１１が示すページ数は、図７（ｂ）、図７（ｃ）の画像３１０に該当するものであり、図７（ａ）が示す最初の画面３０１の内容は含まない。
【００７０】
そして、システム制御部１２１は、スキャナー部１０１がたとえば図７（ａ）のＱＲコード（登録商標）３１１、３２０を読み取ると、たとえばＱＲコード（登録商標）３２０の画像データを、通信制御部１１４を介してデポジット管理サーバー４００に送信する。なお、システム制御部１２１は、ＱＲコード（登録商標）３２０の画像データに代えて、ＱＲコード（登録商標）３２０を解読したデポジット情報をデポジット管理サーバー４００に送信してもよい。また、システム制御部１２１は、上記同様に、ＱＲコード（登録商標）３１１から、読み取るべき画像３１０が複数ページに渡っていることを把握する。この場合、システム制御部１２１は、上記同様に、スキャナー制御部１１１を介し、スキャナー部１０１の図示しない光源を点滅させる。この図示しない光源の点滅は、上記同様に、タブレット型端末３００に対して画面３０１を切り替えさせることを指示するものである。なお、システム制御部１２１は、図７（ｂ）、図７（ａ）に示すスキャナー部１０１による画像３１０の読み取り指示を、デポジット管理サーバー４００からのユーザー認証と、決済関連情報との確認結果に問題が無いことを確認してから行ってもよい。
【００７１】
次に、図８を参照し、第２の実施形態でのＭＦＰ１００による画像読み取りの一例について説明する。なお、以下では、印刷済みの用紙２００の画像の読み取りについての説明を省略し（図５で説明済み）、タブレット型端末３００の画面の画像を読み取る場合で説明する。また、以下では、タブレット型端末３００の最初の画面３０１には、図７（ａ）に示した制御情報を示すＱＲコード（登録商標）３１１と、デポジット情報を示すＱＲコード（登録商標）３２０とが表示される場合として説明する。また、以下では、タブレット型端末３００のデポジット情報を示すデポジット関連画像を形成するデポジット情報形成アプリが起動され、これに連動してＭＦＰ１００のスキャナー部１０１の図示しない光源の点滅により、画面３０１を切り替えたりする画像表示アプリが起動している場合として説明する。また、以下では、たとえばコピー、送信、保存のいずれかのジョブが設定される場合として説明する。
【００７２】
（ステップＳ２０１）
システム制御部１２１は、原稿がセットされたかどうかを判断する。
この場合、システム制御部１２１は、センサー制御部１１８からの用紙検出センサー１０４による検出があることを示す通知が無ければ原稿がセットされないと判断し（ステップＳ２０１：Ｎｏ）、原稿のセット待ちとなる。
これに対し、システム制御部１２１は、センサー制御部１１８からの用紙検出センサー１０４による検出があることを示す通知が有れば原稿がセットされたと判断し（ステップＳ２０１：Ｙｅｓ）、ステップＳ２０２に移行する。
【００７３】
（ステップＳ２０２）
システム制御部１２１は、光を検出したかどうかを判断する。
この場合、システム制御部１２１は、センサー制御部１１８からの光検出センサー１０５が原稿読取部１０１Ｃ側からの光を検出したことを示す通知が無ければ光を検出しないと判断する（ステップＳ２０２：Ｎｏ）。
すなわち、図２（ａ）のように、原稿読取部１０１Ｃにたとえば印刷済みの用紙２００がセットされた場合、光検出センサー１０５は光を検出しない。この場合、システム制御部１２１は、センサー制御部１１８からの光検出センサー１０５が原稿読取部１０１Ｃ側からの光を検出したことを示す通知が無いため、読取対象をたとえば印刷済みの用紙２００と判断できる。
これに対し、システム制御部１２１は、センサー制御部１１８からの光検出センサー１０５が原稿読取部１０１Ｃ側からの光を検出したことを示す通知が有れば光を検出したと判断し（ステップＳ２０２：Ｙｅｓ）、ステップＳ２０３に移行する。
すなわち、図２（ｂ）のように、原稿読取部１０１Ｃにたとえばタブレット型端末３００が画面３０１を光検出センサー１０５側に向けてセットされた場合、光検出センサー１０５は画面３０１から放出される光を検出する。この場合、システム制御部１２１は、センサー制御部１１８からの光検出センサー１０５が原稿読取部１０１Ｃ側からの光を検出したことを示す通知が有るため、読取対象をたとえばタブレット型端末３００と判断できる。
【００７４】
（ステップＳ２０３）
システム制御部１２１は、スキャナー制御部１１１に対し、スキャナー部１０１の光源からの照射のＯＦＦを指示する。
このとき、スキャナー制御部１１１は、システム制御部１２１からの指示を受け付け、後述するステップＳ１１０で当該指示を実行する。
【００７５】
（ステップＳ２０４）
システム制御部１２１は、原稿であるタブレット型端末３００の画面サイズを検出させる。
この場合、システム制御部１２１は、センサー制御部１１８に対し、用紙検出センサー１０４によるタブレット型端末３００の画面サイズの検出を指示する。
このとき、センサー制御部１１８は、用紙検出センサー１０４を制御し、タブレット型端末３００の画面を検出し、画面サイズを示すサイズデータをシステム制御部１２１に通知する。
【００７６】
（ステップＳ２０５）
システム制御部１２１は、サイズデータを取得する。
この場合、システム制御部１２１は、ステップＳ２０４で、センサー制御部１１８からのタブレット型端末３００の画面のサイズを示すサイズデータを受け取った場合、そのサイズデータを取得する。
【００７７】
（ステップＳ２０６）
システム制御部１２１は、ジョブの設定を受け付けたかどうかを判断する。
この場合、システム制御部１２１は、パネル操作制御部１１９からのパネル部１０６を介してジョブの設定を受け付けたことを示す通知が無ければジョブの設定を受け付けていないと判断し（ステップＳ２０６：Ｎｏ）、ジョブの設定待ちとなる。
これに対し、システム制御部１２１は、パネル操作制御部１１９からのパネル部１０６を介してジョブの設定を受け付けたことを示す通知が有ればジョブの設定を受け付けたと判断し（ステップＳ２０６：Ｙｅｓ）、ステップＳ２０７に移行する。
なお、ここで受け付けたジョブの設定は、たとえばコピー、送信、保存のいずれかとする。
【００７８】
（ステップＳ２０７）
システム制御部１２１は、スタートボタンが押下されたかどうかを判断する。
この場合、システム制御部１２１は、パネル操作制御部１１９からのパネル部１０６を介してスタートボタンの操作を受け付けたことを示す通知が無ければスタートボタンが押下されていないと判断し（ステップＳ２０７：Ｎｏ）、スタートボタンの押下待ちとなる。
これに対し、システム制御部１２１は、パネル操作制御部１１９からのパネル部１０６を介してスタートボタンの操作を受け付けたことを示す通知が有ればスタートボタンが押下されたと判断し（ステップＳ２０７：Ｙｅｓ）、ステップＳ２０８に移行する。
【００７９】
（ステップＳ２０８）
システム制御部１２１は、原稿の読み取りを指示する。
この場合、システム制御部１２１は、スキャナー制御部１１１に対し、スキャナー部１０１による読み取りを指示する。
すなわち、スキャナー制御部１１１は、ステップＳ２０２で読取対象がタブレット型端末３００の画面であると判断されている場合、スキャナー部１０１の光源からの照射をＯＦＦにした状態で、図２（ｂ）に示したように、スキャナー部１０１を矢印ａ方向に水平移動させつつタブレット型端末３００の画面３０１の図７（ａ）の最初の画面３０１の制御情報を示すＱＲコード（登録商標）３１１と、デポジット情報を示すＱＲコード（登録商標）３２０とを読み取らせる。
このとき、スキャナー部１０１は、図７（ａ）のように、タブレット型端末３００の画面３０１のＱＲコード（登録商標）３１１、３２０を読み取る。
【００８０】
（ステップＳ２０９）
システム制御部１２１は、原稿の読み取りが完了したかどうかを判断する。
この場合、システム制御部１２１は、スキャナー制御部１１１からのスキャナー部１０１によるタブレット型端末３００の画面の内容の読み取りが終わったことを示す通知が無ければ原稿の読み取りが完了していないと判断し（ステップＳ２０９：Ｎｏ）、原稿の読み取り待ちとなる。
これに対し、システム制御部１２１は、スキャナー制御部１１１からのスキャナー部１０１によるタブレット型端末３００の画面の内容の読み取りが終わったことを示す通知が有れば原稿の読み取りが完了したと判断し（ステップＳ２０９：Ｙｅｓ）、ステップＳ２１０に移行する。
ここで、システム制御部１２１は、スキャナー部１０１が読み取ったＱＲコード（登録商標）３１１から読み取るべきページ数を把握する。
【００８１】
（ステップＳ２１０）
システム制御部１２１は、画像データをデポジット管理サーバー４００に送信する。
この場合、システム制御部１２１は、スキャナー部１０１が読み取ったデポジット情報を示すＱＲコード（登録商標）３２０の画像データを、通信制御部１１４を介してデポジット管理サーバー４００に送信する。
このとき、デポジット管理サーバー４００は、ＭＦＰ１００からの画像データを元に、ユーザー認証と、決済関連情報との確認を行い、確認結果をＭＦＰ１００に送信する。
【００８２】
（ステップＳ２１１）
システム制御部１２１は、認証に成功したかどうかを判断する。
この場合、システム制御部１２１は、デポジット管理サーバー４００からのユーザー認証についての確認結果がＮＧであれば認証に成功しなかったと判断し（ステップＳ２１１：Ｎｏ）、ステップＳ２１２に移行する。
これに対し、システム制御部１２１は、デポジット管理サーバー４００からのユーザー認証についての確認結果がＯＫであれば認証に成功したと判断し（ステップＳ２１１：Ｙｅｓ）、ステップＳ２１３に移行する。
【００８３】
（ステップＳ２１２）
システム制御部１２１は、エラーの表示を指示する。
この場合、システム制御部１２１は、パネル操作制御部１１９に対し、パネル部１０６への認証に成功しなかったことを示すエラーの表示を指示する。
【００８４】
（ステップＳ２１３）
システム制御部１２１は、デポジットに問題が無いかどうかを判断する。
この場合、システム制御部１２１は、デポジット管理サーバー４００からのデポジットについての確認結果がＮＧであればデポジットに問題が有ると判断し（ステップＳ２１３：Ｎｏ）、ステップＳ２１２に移行する。
これに対し、システム制御部１２１は、デポジット管理サーバー４００からのデポジットについての確認結果がＯＫであればデポジットに問題が無いと判断し（ステップＳ２１３：Ｙｅｓ）、ステップＳ２１４に移行する。
ここで、デポジットの問題として、たとえばクレジットカードの場合、期限切れ等が考えられる。また、たとえばプリペードカード等の場合、金額不足等が考えられる。
【００８５】
（ステップＳ２１４）
システム制御部１２１は、次に読み取る原稿が有るかどうかを判断する。
この場合、システム制御部１２１は、ステップＳ２０９で把握した読み取るべきページ数が複数無いと把握した場合、次に読み取る原稿が無いと判断し（ステップＳ２１４：Ｎｏ）、ステップＳ２０８に移行する。
すなわち、システム制御部１２１は、たとえば図７（ｃ）の画像３１０のページが読み取られた後では、次に読み取る原稿が無いと判断する。ただし、システム制御部１２１は、図７（ａ）の制御情報を示すＱＲコード（登録商標）３１１と、デポジット情報を示すＱＲコード（登録商標）３２０とを表示する画面の内容が読み取られた後では、図７（ｂ）の画像３１０のページが読み取られる。
これに対し、システム制御部１２１は、ステップＳ２０９で把握した読み取るべきページ数が複数有ると把握した場合、スキャナー部１０１による原稿の読み取り回数が読み取るべきページ数に満たないとき、次に読み取る原稿が有ると判断し（ステップＳ２１４：Ｙｅｓ）、ステップＳ２１５に移行する。
【００８６】
（ステップＳ２１５）
システム制御部１２１は、スキャナー制御部１１１に対し、スキャナー部１０１の図示しない光源の点滅を指示する。
このとき、スキャナー制御部１１１は、スキャナー部１０１の図示しない光源を設定に従って点滅させる。
また、このとき、タブレット型端末３００は、図７（ａ）等に示すカメラ３０２により、スキャナー部１０１の図示しない光源からの点滅光を取り込むと（すなわち、点滅光を検出すると）、画面３０１の表示内容を変える。すなわち、タブレット型端末３００は、画面３０１に図７（ａ）の制御情報を示すＱＲコード（登録商標）３１１と、デポジット情報を示すＱＲコード（登録商標）３２０とを表示している場合、画面３０１に図３（ｂ）の１ページ目の画像３１０を表示させるように切り替える。
【００８７】
（ステップＳ２１６）
システム制御部１２１は、原稿の読み取りを指示する。
この場合、システム制御部１２１は、スキャナー制御部１１１に対し、スキャナー部１０１による読み取りを指示する。ここで、システム制御部１２１は、ステップＳ２１５の処理を実行後、特定時間待機して、原稿の読み取りを指示してもよい。
すなわち、スキャナー制御部１１１は、上記同様に、ステップＳ２０２で読取対象がタブレット型端末３００の画面であると判断されている場合、スキャナー部１０１の光源からの照射をＯＦＦにした状態で、図２（ｂ）のように、スキャナー部１０１を矢印ａ方向に水平移動させつつタブレット型端末３００の画面３０１の図７（ｂ）の１ページ目の画像３１０を読み取らせる。
【００８８】
（ステップＳ２１７）
システム制御部１２１は、原稿の読み取りが終了したかどうかを判断する。
この場合、システム制御部１２１は、スキャナー制御部１１１からのスキャナー部１０１によるタブレット型端末３００の画面の画像３１０の読み取りが終わったことを示す通知が無ければ原稿の読み取りが終了していないと判断し（ステップＳ２１７：Ｎｏ）、原稿の読み取り待ちとなる。
これに対し、システム制御部１２１は、スキャナー制御部１１１からのスキャナー部１０１によるタブレット型端末３００の画面の画像の読み取りが終わったことを示す通知が有れば原稿の読み取りが終了したと判断し（ステップＳ２１７：Ｙｅｓ）、ステップＳ２１４に移行する。
なお、システム制御部１２１は、ステップＳ２１４に移行した場合、次に読み取る原稿が有るため、ステップＳ２１５でスキャナー制御部１１１に対し、スキャナー部１０１の図示しない光源の点滅を指示し、ステップＳ２１６で原稿の読み取りを指示し、ステップＳ２１７で原稿の読み取りが完了すると、ステップＳ２１４からステップＳ２１８に移行する。
【００８９】
（ステップＳ２１８）
システム制御部１２１は、ジョブの設定の内容に基づいた処理を指示する。
この場合、システム制御部１２１は、ステップＳ２０６で受け付けたジョブの設定がコピーである場合、画像処理部１１７に対してスキャナー部１０１が読み取った画像の画像処理（ラスタライズ）を指示し、プリンター制御部１１２に対してプリンター部１４０による印刷を指示する。
また、システム制御部１２１は、ステップＳ２０６で受け付けたジョブの設定がＦＡＸ送信である場合、ＦＡＸ制御部１１３に対してＦＡＸ部１０２によるＦＡＸ送信を指示する。
また、システム制御部１２１は、ステップＳ２０６で受け付けたジョブの設定がデータ送信である場合、通信制御部１１４に対してＩ／Ｆ１０３によるデータ送信を指示する。
また、システム制御部１２１は、ステップＳ２０６で受け付けたジョブの設定が保存であり、画像データの保存先がたとえばＨＤＤ１０７である場合、ＨＤＤ制御部１２０に対し、ＨＤＤ１０７に対する画像データの保存を指示する。
【００９０】
（ステップＳ２１９）
システム制御部１２１は、指示した処理が終了したかどうかを判断する。
ここで、システム制御部１２１は、指示した処理がコピー印刷の場合、プリンター制御部１１２からの印刷終了を示す通知が無ければコピー印刷が終了していないと判断して終了待ちとなり（ステップＳ２１９：Ｎｏ）、プリンター制御部１１２からの印刷終了を示す通知が有ればコピー印刷が終了したと判断し（ステップＳ２１９：Ｙｅｓ）、処理を終了する。
また、システム制御部１２１は、上記同様に、指示した処理がたとえばＦＡＸ送信の場合、ＦＡＸ制御部１１３からの送信終了を示す通知が無ければＦＡＸ送信が終了していないと判断して終了待ちとなり（ステップＳ２１９：Ｎｏ）、ＦＡＸ制御部１１３からの送信終了を示す通知が有ればＦＡＸ送信が終了したと判断し（ステップＳ２１９：Ｙｅｓ）、処理を終了する。
また、システム制御部１２１は、上記同様に、指示した処理がたとえばデータ送信の場合、通信制御部１１４からの送信終了を示す通知が無ければデータ送信が終了していないと判断して終了待ちとなり（ステップＳ２１９：Ｎｏ）、通信制御部１１４からの送信終了を示す通知が有ればデータ送信が終了したと判断し（ステップＳ２１９：Ｙｅｓ）、処理を終了する。
また、システム制御部１２１は、上記同様に、指示した処理がたとえばＨＤＤ１０７への保存の場合、ＨＤＤ制御部１２０からの保存終了を示す通知が無ければ画像データの保存が終了していないと判断して終了待ちとなり（ステップＳ２１９：Ｎｏ）、ＨＤＤ制御部１２０からの保存終了を示す通知が有れば画像データの保存が終了したと判断する（ステップＳ２１９：Ｙｅｓ）。
【００９１】
（ステップＳ２２０）
システム制御部１２１は、課金情報をデポジット管理サーバー４００に送信する。
この場合、システム制御部１２１は、指示した処理がたとえばＦＡＸ送信の場合、ＦＡＸの送信枚数に応じた課金情報を取得し、デポジット管理サーバー４００に送信する。
また、システム制御部１２１は、指示した処理がたとえばデータ送信の場合、データ送信量に応じる課金情報を取得し、デポジット管理サーバー４００に送信する。
また、システム制御部１２１は、指示した処理がたとえばＨＤＤ１０７への保存の場合、保存したデータ量に応じた課金情報を取得し、デポジット管理サーバー４００に送信する。
なお、送信枚数に応じた課金情報、データ送信量に応じた課金情報、保存したデータ量に応じる課金情報は、たとえばＨＤＤ１０７に登録されているものとする。
【００９２】
そして、デポジット管理サーバー４００は、ＭＦＰ１００からの課金情報に基づき決済処理を実行する。すなわち、クレジットカードでの支払いの場合、ユーザー情報と課金情報とをクレジットカードの発行元に送信することで、決済処理を実行する。また、たとえばプリペードカードでの支払いの場合、課金情報に応じてプリペードカードの残高を更新する。また、デポジット管理サーバー４００は、決済処理を終えると、デポジット情報に含まれているユーザーの連絡先のメールアドレスを用いて、決済状況を通知する。なお、決済状況を通知は、ＭＦＰ１００がデポジット管理サーバー４００からの決済状況の通知をタブレット型端末３００に転送する仕組みを用いてもよい。
【００９３】
このように、第２の実施形態では、光源を有するスキャナー部１１０により、原稿読取部１０１Ｃにセットされたタブレット型端末３００（読取対象）の画面３０１のデポジット関連画像であるＱＲコード（登録商標）３２０と、画像３１０とを読み取り、光検出センサー１０５により、タブレット型端末３００（読取対象）から光が放出されているどうかを検出し、システム制御部１２１により、光検出センサー１０５の検出結果に基づき、スキャナー部１０１に対し、光源をＯＦＦにしてのタブレット型端末３００（読取対象）の画面３０１の画像３１０の読み取り、又は光源をＯＮにしてのタブレット型端末３００（読取対象）の画面３０１のＱＲコード（登録商標）３２０と画像３１０との読み取りを指示する。また、システム制御部１２１は、スキャナー部１１０が読み取ったタブレット型端末３００（読取対象）の画面３０１のユーザー情報と決済関連情報とを含むデポジット情報を示すデポジット関連画像であるＱＲコード（登録商標）３２０の画像データをデポジット管理サーバー４００に送信し、デポジット管理サーバー４００からのユーザー認証と決済関連情報との確認結果に問題が無ければ、光源の点滅動作又は点灯動作を実行し、画面３０１の画像３１０をスキャナー部１１０に読み取らせる。
【００９４】
これにより、第１の実施形態での効果に加え、画像３１０に対するジョブの実行前に、ＱＲコード（登録商標）３２０による、デポジット管理サーバー４００でのデポジット情報に含まれるユーザー認証と決済関連情報との確認結果に基づき、課金を要するジョブの実行の可否を判断できる。さらには、ユーザー認証と決済関連情報との確認結果に基づき、課金を要するジョブの実行の可否を判断できるので、ＭＦＰ１００でのユーザー認証と決済関連情報とを一括管理できる。また、デポジット情報には、ユーザーが予め登録した画像データや文書データ等のデータ情報が含まれるようにすることも可能である。この場合、ＭＦＰ１００は、ユーザー認証と決済関連情報との管理に加え、文書の管理を含めた一括管理が可能となる。
【符号の説明】
【００９５】
１００  ＭＦＰ
１０１  スキャナー部
１０１Ａ  本体
１０１Ｂ  原稿読取台
１０１Ｃ  原稿読取部
１０２  ＦＡＸ部
１０３  Ｉ／Ｆ
１０４  用紙検出センサー
１０５  光検出センサー
１０６  パネル部
１０７  ＨＤＤ
１１０  制御部
１１１  スキャナー制御部
１１２  プリンター制御部
１１３  ＦＡＸ制御部
１１４  通信制御部
１１５  ＲＡＭ
１１６  EEPROM
１１７  画像処理部
１１８  センサー制御部
１１９  パネル操作制御部
１２０  ＨＤＤ制御部
１２１  システム制御部
１２２  データバス
１３０  給紙部
１３１ａ〜１３１ｃ  給紙カセット
１３３、２００  用紙
１４０  プリンター部
１４１  画像形成ユニット
１４２  １次転写ローラー
１４３  駆動ローラー
１４４  従動ローラー
１４５  中間転写ベルト
１４６  ２次転写ローラー
１５０  定着部
１５１  加熱ローラー
１５２  加圧ローラー
１６０  搬送部
１７０  ＡＤＦ
１７０Ａ  原稿カバー
１７１  給紙トレイ
１７２〜１７７  搬送ローラー
１７８  給紙口
１７９  排出口
１８０  メールボックス
１８１  排紙トレイ
３００  タブレット型端末
３０１  画面
３０２  カメラ
３１０  画像
３１１、３２０  ＱＲコード（登録商標）
４００  デポジット管理サーバー
５００  ネットワーク
【図１】
2019154022.tif 000003
【図２】
2019154022.tif 000004
【図３】
2019154022.tif 000005
【図４】
2019154022.tif 000006
【図５】
2019154022.tif 000007
【図６】
2019154022.tif 000008
【図７】
2019154022.tif 000009
【図８】
2019154022.tif 000010